(57)【要約】【課題】従来の記憶スペース割り当ての変更不能性を解消し、書き換え可能ディスク上の記憶スペースの利用効率を向上させるための書き換え可能ディスク上の記憶スペース割り当て方法を提供すること。【解決手段】記憶スペース割り当て方法が開示される。本発明により、ビデオデータおよび静止画像は、書き換え可能ディスク上の共通記憶領域に記録される。静止画像データが記憶されるとき、共通記憶領域の高アドレスの終わりから記録される。他方、ビデオデータが記憶されるとき、共通領域の低アドレスの終わりから記録される。【選択図】図３
2006260751.tif 000002
【特許請求の範囲】
【請求項１】
ビデオデータまたは静止画像データを記憶するために使用される共通記憶領域を書き換え可能ディスク上に規定し、
ビデオデータを記憶するときは共通記憶領域の低アドレスの終わりからビデオデータを記録するとともに、
静止画像データを記憶するときは共通記憶領域の高アドレスの終わりから記録することを特徴とする書き換え可能ディスク上の記憶スペース割り当て方法。
【請求項２】
書き換え可能ディスクが、書き換え可能ディスク上にビデオデータのファイル・システムを記録するためのメタデータを記憶するために使用されるビデオデータ・ファイル・システム領域をさらに有することを特徴とする請求項1記載の書き換え可能ディスク上の記憶スペース割り当て方法。
【請求項３】
ビデオデータ・ファイル・システム領域が共通記憶領域より低アドレスのある部分に配置されることを特徴とする請求項2記載の書き換え可能ディスク上の記憶スペース割り当て方法。
【請求項４】
書き換え可能ディスクが、共通記憶領域より低アドレスのある部分に配置されて書き換え可能ディスクのディスク関連情報を記憶するために使用される導入領域をさらに有し、かつ、ビデオデータ・ファイル・システム領域が導入領域と共通記憶領域の間に配置されることを特徴とする請求項3記載の書き換え可能ディスク上の記憶スペース割り当て方法。
【請求項５】
書き換え可能ディスクが、書き換え可能ディスク上に静止画像データのファイル・システムを記録するためのメタデータを記憶するために使用される静止画像ファイル・システム領域をさらに有することを特徴とする請求項1記載の書き換え可能ディスク上の記憶スペース割り当て方法。
【請求項６】
静止画像ファイル・システム領域が共通記憶領域より高アドレスのある部分に配置されることを特徴とする請求項5記載の書き換え可能ディスク上の記憶スペース割り当て方法。
【請求項７】
書き換え可能ディスクが、共通記憶領域より高アドレスのある部分に配置される導出領域をさらに有し、かつ、静止画像ファイル・システム領域が導出領域と共通記憶領域の間に配置されることを特徴とする請求項6記載の書き換え可能ディスク上の記憶スペース割り当て方法。
【請求項８】
書き換え可能ディスクが、ビデオデータ・ファイル・システム領域および静止画像ファイル・システム領域をさらに有し、ビデオデータ・ファイル・システム領域が、書き換え可能ディスク上にビデオデータのファイル・システムを記録するためのメタデータを記憶するために使用され、静止画像ファイル・システム領域が、書き換え可能ディスク上に静止画像データのファイル・システムを記録するためのメタデータを記憶するために使用されることを特徴とする請求項1記載の書き換え可能ディスク上の記憶スペース割り当て方法。
【請求項９】
ビデオデータ・ファイル・システム領域が、静止画像ファイル・システム領域より低アドレスのある部分に配置されることを特徴とする請求項8記載の書き換え可能ディスク上の記憶スペース割り当て方法。
【請求項１０】
ビデオデータ・ファイル・システム領域が、静止画像ファイル・システム領域のアドレスを記憶することを特徴とする請求項9記載の書き換え可能ディスク上の記憶スペース割り当て方法。
【請求項１１】
ツリー構造のあるファイル・システムが、ビデオデータおよび静止画像データを記録するために利用されることを特徴とする請求項1記載の書き換え可能ディスク上の記憶スペース割り当て方法。
【請求項１２】
ビデオデータまたは画像データであるデータを受け取り、書き換え可能ディスクの共通記憶領域の予約記憶スペースがデータを記録するのに十分であるかないかを確定し、共通記憶領域の予約記憶スペースがデータを記録するのに十分な場合、共通記憶領域のデータを記録することを特徴とする書き換え可能ディスク上へのデータ記録方法。
【請求項１３】
データを記録する場合、
データがビデオデータの場合、共通記憶領域に予約記憶スペースの最低アドレスのある部分からデータを記録し、
データが静止画像の場合、共通記憶領域に予約記憶スペースの最高アドレスのある部分からデータを記録することを特徴とする請求項12記載の書き換え可能ディスク上へのデータ記録方法。
【請求項１４】
ビデオデータまたは静止画像データを記憶するために使用される共通記憶領域、
書き換え可能ディスク上にビデオデータのファイル・システムを記録するためのメタデータを記憶するために使用されるビデオ・ファイル・システム、および
書き換え可能ディスク上に静止画像データのファイル・システムを記録するためのメタデータを記憶するために使用される静止画像ファイル・システムを有することを特徴とする書き換え可能ディスク。
【請求項１５】
ビデオデータ・ファイル・システム領域が静止画像ファイル・システム領域より低アドレスのある部分に配置されることを特徴とする請求項14記載の書き換え可能ディスク。
【請求項１６】
ビデオデータ・ファイル・システム領域が静止画像ファイル・システム領域のアドレスを記憶することを特徴とする請求項14記載の書き換え可能ディスク。
【請求項１７】
共通記憶領域より低アドレスのある部分に配置され、書き換え可能ディスクのディスク関連情報を記憶するために使用される導入領域、および
共通記憶領域より高アドレスのある部分に配置される導出領域をさらに有することを特徴とする請求項14記載の書き換え可能ディスク。
【請求項１８】
ビデオデータ・ファイル・システム領域が、導入領域と共通記憶領域の間に配置され、静止画像ファイル・システム領域が、導出領域と共通記憶領域の間に配置されることを特徴とする請求項17記載の書き換え可能ディスク。
【発明の詳細な説明】
【技術分野】
【０００１】
本発明は、DVD書き換え可能ディスク上での記憶スペース割り当ておよびデータ記録方法に関するものであり、特に、ビデオデータおよび静止画像データを記録するためのDVD-ビデオ仕様と互換性のあるDVD書き換え可能ディスク上での記憶スペース割り当ておよびデータ記録方法に関するものである。
【背景技術】
【０００２】
ビデオデータ（例えば、リアルタイムで記録されるビデオ映画）および静止画像データ（例えば、リアルタイムで撮られた写真）を記録するため、ならびにDVDビデオ仕様と互換性を持たせるために、図1に示される記憶スペース割り当て方法が、典型的DVD書き換え可能ディスク上で普通使用される。
【０００３】
図１のDVD書き換え可能ディスクにおいて、すべてのデータ領域の前に配置された導入部（導入領域）は、記憶スペースのディスクの種類および容量などのDVD用のディスク関連情報を記憶するために使用される。ビデオデータ・ファイル・システム領域FSVは、ビデオデータのファイル・システムを記録するためのメタデータ、すなわち各ファイルのサイズおよび位置の情報などのファイル・システム構造を記述するためのデータを記憶するために使用される。ビデオデータ領域SVは、ビデオデータを記憶するために使用される。静止画像ファイル・システム領域FSPは、静止画像データのファイル・システムを記録するためのメタデータを記憶するのに使用される。静止画像データ領域SPは、静止画像データを記憶するのに使用される。最後に、すべてのデータ領域の後に配置された導出部（導出領域）は、高アドレス領域で光ディスク・ドライバーが間違ってディスクにアクセスするのを防ぐためのDVD上のユーザー・データの範囲を定めるために使用される。
【０００４】
ビデオデータ領域SVのビデオデータは、図1に示されるように1、2、3および4の順で記録され、静止画像データ領域SPの静止画像データは、図1に示されるように、A、B、CおよびDの順序で記録される。また両方とも、より低アドレスからより高アドレスへの順序で記録される。加えるに、RVおよびRPは、ビデオデータおよび静止画像データの将来の記録のためのビデオデータ領域SVおよび静止画像データ領域SP内のそれぞれの予約記憶スペースである。
【０００５】
図2は、図1の記憶スペース割り当て方法に対応するデータ記録方法を説明するフローチャートを図解的に示している。まずステップ202では、データを記録するためのDVD書き換えディスクが空のディスクであるかないかが確定される。空のディスクでない場合、処理過程はステップ206へと進む。空のディスクの場合、ステップ204で、記憶スペースは、ビデオデータ領域SVおよび静止画像データ領域SPに割り当てられる。
【０００６】
その後ステップ206で、記録されるデータの種類が確定される。ビデオデータの場合、ステップ208で、ビデオデータ領域SVの予約記憶スペースRVがデータを記録するのに十分であるかどうかが、さらに確定される。十分な場合、ステップ210で、ビデオデータは、ビデオデータ領域SVの予約記憶スペースRVの最低アドレスから記録され、処理過程は完了する。
【０００７】
他方で、ステップ206で記録されるデータが静止画像であると確定される場合、ステップ212で、静止画像データ領域SPの予約記憶スペースRPがデータを記録するのに十分であるかどうかが、さらに確定される。十分な場合、ステップ214で、静止画像データは、静止画像データ領域SPの予約記憶スペースRPの最低アドレスから記録され、処理過程は完了する。
【発明の開示】
【発明が解決しようとする課題】
【０００８】
上記の従来の方法によれば、ビデオデータ領域SVのサイズおよび静止画像データ領域SPのサイズは、固定して割り当てられ、データの最初の記録が書き込まれた後、変更不能である。結果として、記憶スペース割り当てが変更不能であるため、各予約記憶スペースは、その他のデータの種類に使用されることはできない。特にリアルタイムのビデオデータの記録などのアプリケーションにとっては、これら2つのデータ領域のために記憶スペースを割り当てる適切な比率を決定することは予測可能ではない。このように、記憶スペースを割り当てる唯一の方法は、試行錯誤により前もって決定された比率をおそらく用いている。結果として、ディスク上で記憶スペースの1つが使い切られた場合、使い尽くされたデータ領域に対応するデータの種類は、その他のデータ領域に未使用の記憶スペースがまだあるとしても、もはやこのディスク上に記録されることはできない。従って、これはディスクの記憶スペースの利用効率を下げ、不便を増加する。
【０００９】
その結果、従来の記憶スペース割り当ての変更不能性を解消し、書き換え可能ディスク上の記憶スペースの利用効率を向上させるための書き換え可能ディスク上の記憶スペース割り当て方法を提供することが、本発明の目的である。
【課題を解決するための手段】
【００１０】
上記目的を達成するために、本発明は、書き換え可能ディスク上の記憶スペース割り当て方法を提供する。その方法に従って、ビデオデータまたは静止画像データを書き換え可能ディスクに記憶するのに使用される共通記憶領域が定められる。ビデオデータを記憶するとき、共通記憶領域の低アドレスの終わりから記録される。また静止画像データを記憶するとき、共通記憶領域の高アドレスの終わりから記録される。
【００１１】
実施形態においては、書き換え可能ディスクには、さらにビデオデータ・ファイル・システム領域があり、ビデオデータのファイル・システムを記録するためのメタデータを記憶するために使用される。ビデオデータ・ファイル・システム領域は、共通記憶領域より低アドレスのある部分に配置される可能性もある。書き換え可能ディスクには、さらに共通記憶領域より低アドレスのある部分に配置され、書き換え可能ディスクのディスク関連情報を記憶するために使用される導入領域があり、ビデオデータ・ファイル・システム領域は、導入領域と共通記憶領域の間に配置される。
【００１２】
実施形態においては、書き換え可能ディスクには、さらに静止画像データ・ファイル・システム領域があり、静止画像のファイル・システムを記録するためのメタデータを記憶するために使用される。静止画像ファイル・システム領域は、共通記憶領域より高アドレスのある部分に配置される可能性もある。書き換え可能ディスクには、さらに共通記憶領域より高アドレスのある部分に配置される導出領域があり、静止画像ファイル・システム領域は、導出領域と共通記憶領域の間に配置される。
【００１３】
実施形態において、書き換え可能ディスクは、ビデオデータ・ファイル・システム領域と静止画像のファイル・システム領域の両方から構成される。ビデオデータ・ファイル・システム領域は、静止画像のファイル・システム領域より低アドレスのある部分に配置され、静止画像のファイル・システム領域のアドレスを記憶する。ツリー構造のあるファイル・システムは、ビデオデータおよび静止画像データを記録するために利用される可能性がある。
【００１４】
別の目的に従って、本発明は、書き換え可能ディスク上にデータを記録するために備える。その方法に従って、可能性のあるデータは受け取られたビデオデータまたは静止画像データである。また書き換え可能ディスクの共通記憶領域の予約記憶スペースが、データを記録するのに十分であるかないかが、確定される。共通記憶領域の予約記憶スペースがデータを記録するのに十分である場合、データは共通記憶領域に記録される。
【００１５】
実施形態において、データがビデオデータの場合、データは、最低アドレルのある部分から、共通記憶領域の予約記憶スペースに記録される可能性もある。データが静止画像データの場合、データは、最高アドレルのある部分から、共通記憶領域の予約記憶スペースに記録される可能性もある。
【００１６】
書き換え可能ディスクを提供することは、本発明のさらにもう一つの目的である。本発明によるディスク上には、ビデオデータまたは静止画像データを記憶するために使用される共通記憶領域、書き換え可能ディスクにビデオデータのファイル・システムを記録するためのメタデータを記憶するのに使用されるビデオデータ・ファイル・システム領域、および書き換え可能ディスクに静止画像データのファイル・システムを記録するためのメタデータを記憶するために使用される静止画像ファイル・システム領域がある。
【００１７】
実施形態において、ビデオデータ・ファイル・システム領域は、静止画像ファイル・システム領域より低アドレスのある部分に配置される。ビデオデータ・ファイル・システム領域は、さらに静止画像ファイル・システム領域のアドレスを記憶する可能性もある。書き換え可能ディスクには、導入領域および導出領域もある。導入領域は、共通記憶領域より低アドレスのある部分に配置され、書き換え可能ディスクのディスク関連情報を記憶するために使用される。また導出領域は、共通記憶領域より高アドレスのある部分に配置される。実施形態において、ビデオデータ・ファイル・システム領域は、導入領域と共通記憶領域の間に配置され、静止画像ファイル・システム領域は、導出領域と共通記憶領域の間に配置される。
【発明を実施するための最良の形態】
【００１８】
図3は、本発明の実施形態によるDVD書き換え可能ディスク上の記憶スペース割り当て方法を図解的に示している。図3に示されるように、導入部（導入領域）、ビデオデータ・ファイル・システム領域FSV、共通記憶領域SC、静止画像ファイル・システム領域FSP、および導出部（導出領域）は、低アドレスの終わりから高アドレスの終わりまで、DVD書き換え可能ディスクに順次配置される。本実施形態において、低アドレスの終わりはディスクの内側に位置し、高アドレスの終わりはディスクの外側に位置する。
【００１９】
ビデオデータ・ファイル・システム領域FSVおよび静止画像ファイル・システム領域FSPは、ビデオデータおよび静止画データのファイル・システムをそれぞれ記録するためのメタデータを記憶するために使用される。本実施形態において、ビデオデータおよび静止画データの両方は、ツリー構造のあるファイル・システムに記録される。この時、ツリー構造のあるファイル・システムは、少なくとも1つのファイルまたはルートディレクトリのサブディレクトリとして構成され、各サブディレクトリは、1つ以上のファイル、またはちょうど木の拡がる枝のような他のより下層のサブディレクトリを含むことができる。その結果、ビデオデータ・ファイル・システム領域FSVおよび静止画像ファイル・システム領域FSPに記憶されるメタデータは、DVD書き換え可能ディスク上の各ディレクトリとファイル、各ディレクトリのサイズとファイル、および各ディレクトリのアドレスとファイル間の関係を表す。
【００２０】
本実施形態において、ビデオデータおよび静止画像データの両方は、共通記憶領域SCに記憶される。ビデオデータは、共通記憶領域SCの低アドレスの終わりから高アドレスの終わりまで、図3に示されるように1、2、3、4の順に記録される。他方、静止画像データは、共通記憶領域SCの高アドレスの終わりから低アドレスの終わりまで、図3に示されるようにA、B、C、Dの順に記録される。このように、ビデオデータおよび静止画像データの両方は、共通記憶領域SCを共有することができ、両方のデータの種類用の予約記憶スペースは、全体として管理されることができる。従って、本発明は、記憶スペース利用の変更可能性を向上することができる。
【００２１】
本実施形態のビデオデータは、ビデオデータが一般的なDVDプレーヤーによって読み取られることができるように、DVD書き換え可能ディスクのより低アドレスから記録される。静止画像ファイル・システム領域FSPのアドレスがビデオデータ・ファイル・システム領域FSVに記憶されるので、静止画像データは、DVD書き換え可能ディスクをサポートする装置によって正確にアクセスされることができる。その結果、本発明は、記憶スペース利用の変更可能性を向上するだけでなく、DVDビデオ仕様との互換性を維持する。
【００２２】
図4は、図3で説明される記憶スペース割り当てに対応する本発明の実施形態による、DVD書き換え可能ディスク上のデータ記録方法を説明するフローチャートを図解的に示している。まずステップ402では、データの記録は受け取られ、それはビデオデータまたは静止画像データのいずれかの可能性がある。その後ステップ404で、DVD書き換え可能ディスク上の共通記憶領域SCの予約記憶スペースRCがデータを記録するのに十分であるかどうかが確定される。予約記憶スペースRCが不十分な場合、処理過程は終了される。予約記憶スペースRCが十分な場合、処理過程はステップ406へと進む。
【００２３】
その後ステップ406で、記録されるデータの種類が確定される。ビデオデータの場合、ステップ408で、共通領域SCの予約記憶スペースRCに、最低アドレスのある部分から記録される。他方、静止画像の場合、ステップ410で、共通領域SCの予約記憶スペースRCに、最高アドレスのある部分から記録される。
【００２４】
要約すれば、本発明は、共通記憶領域にビデオデータと静止画像データの両方を記録する。本発明の実施形態により、ビデオデータは、共通記憶領域の低アドレスの終わりから高アドレスの終わりまで記録され、静止画像データは、共通記憶領域の高アドレスの終わりから低アドレスの終わりまで記録される。両データは、ディスク全体の同じ予約記憶スペースを共有する。従って、ディスクの記憶スペース全体は、ビデオデータおよび静止画像データによって十分に利用される。加えるに、本発明は、DVDビデオ仕様と互換性があり、記憶スペース利用の変更可能性を向上する。
【００２５】
当発明は、その特別な実施形態について説明されてきたが、発明の精神から逸脱することなく、説明される実施形態の修正が行なわれることができることが、その技術の通常の技量にとって明らかになる。従って、発明の範囲は、上記の詳細な説明によってではなく、添付の特許請求の範囲によって規定される。
【００２６】
添付図面は、発明のなお一層の理解を提供するために添付され、本仕様の一部に組み込まれ、その一部を構成している。図面は、発明の実施形態を図解し、説明とともに発明の原理を明白にするのに役立つ。
【図面の簡単な説明】
【００２７】
【図１】先行技術におけるDVD書き換え可能ディスク上の記憶スペース割り当て方法を図解的に示している。
【図２】先行技術におけるDVD書き換え可能ディスク上のデータ記録方法を説明するフローチャートを図解的に示している。
【図３】本発明の実施形態によるDVD書き換え可能ディスク上の記憶スペース割り当て方法を図解的に示している。
【図４】本発明の実施形態によるDVD書き換え可能ディスク上のデータ記録方法を説明するフローチャートを図解的に示している。
【符号の説明】
【００２８】
FSP    静止画像ファイル・システム領域
FSV    ビデオデータ・ファイル・システム領域
RC     予約記憶スペース
RP     予約記憶スペース
RV     予約記憶スペース
SC     共通記憶領域
SP     静止画像データ領域
SV     ビデオデータ領域
【図１】
2006260751.tif 000003
【図２】
2006260751.tif 000004
【図３】
2006260751.tif 000005
【図４】
2006260751.tif 000006